(57)【要約】【課題】ユーザ自身が配線器具や電子機器を自由な位置に取り付けて使用できる配線システムを提供する。【解決手段】複数の差込接続部１はシステム内で定形化されており、造営面（天井材１０１、床材１０２および壁材１０３）の所定位置に配設されている。配線器具モジュール１０および電子機器モジュール２０は、差込接続部１の取付用凹所３に着脱自在に取着される定形化されたモジュール本体１１，２１と、モジュール本体１１，２１に設けられモジュール本体１１，２１が取付用凹所３内に取着された際に、差込接続部１が備えるジャック側端子に電気的に接続されるプラグ側端子とを備えており、モジュール本体１１，２１は、少なくとも一部又は全部を取付用凹所３内に収納した状態で取付用凹所３に取着される。【選択図】図１
2008270050.tif 000002
【特許請求の範囲】
【請求項１】
造営面に設けた定形化された複数の差込接続部と、造営面の表側から複数の差込接続部のうちの何れにも選択的に差込接続可能な配線器具モジュール又は電子機器モジュールとで構成される配線システムであって、
各差込接続部は、造営面に開口した取付用凹所と、造営材の裏側に配線された電線に電気的に接続されて取付用凹所内に配設されたジャック側端子とを備え、
配線器具モジュールおよび電子機器モジュールは、取付用凹所に着脱自在に取着される定形化されたモジュール本体と、モジュール本体に設けられモジュール本体が取付用凹所内に取着された際にジャック側端子に電気的に接続されるプラグ側端子とを備えるとともに、
配線器具モジュール又は電子機器モジュールのモジュール本体は、少なくとも一部又は全部を取付用凹所内に収納した状態で取付用凹所に取着されることを特徴とする配線システム。
【請求項２】
ジャック側端子が取付用凹所の底部に設けられ、モジュール本体において各ジャック側端子に対応する部位にプラグ側端子が設けられたことを特徴とする請求項１記載の配線システム。
【請求項３】
ジャック側端子が取付用凹所の側端面に設けられ、モジュール本体において各ジャック側端子に対応する部位にプラグ側端子が設けられたことを特徴とする請求項１記載の配線システム。
【請求項４】
モジュール本体の前面が造営面と同一の高さ位置に配置されたことを特徴とする請求項１乃至３の何れか１つに記載の配線システム。
【請求項５】
配線器具モジュールは、用途毎に定形化された差込プラグが挿抜自在に接続され電力の供給又は情報信号の授受の少なくとも何れか一方を行うコンセント部を備え、モジュール本体の前面にコンセント部を配置したことを特徴とする請求項４記載の配線システム。
【請求項６】
配線器具モジュールは、用途毎に定形化された差込プラグが挿抜自在に接続され電力の供給又は情報信号の授受の少なくとも何れか一方を行うコンセント部を備え、且つ、電子機器モジュールは、プラグ側端子を介して電力の受電又は情報信号の授受の少なくとも何れか一方を行い所望の機能を実現する機能部を備えており、
配線器具モジュール又は電子機器モジュールは、コンセント部又は機能部をモジュール本体から外側に突出させる状態と、モジュール本体内に収納させる状態とを選択自在として設けられたポップアップ機構を有することを特徴とする請求項１乃至３の何れか１項に記載の配線システム。
【請求項７】
コンセント部又は機能部をモジュール本体内に収納した状態で、モジュール本体の前面が造営面と同一の高さ位置に配置されることを特徴とする請求項６記載の配線システム。
【請求項８】
配線器具モジュールのコンセント部は、ポップアップ機構によりモジュール本体から外側に突出させられる突出部の側面に設けられ、突出部が外側に突出した状態でコンセント部が外部に露出することを特徴とする請求項６又は７記載の配線システム。
【請求項９】
各差込接続部にはジャック側端子が複数設けられ、配線器具モジュールおよび電子機器モジュールは、複数のジャック側端子に電気的に接続される複数のプラグ側端子を備えたことを特徴とする請求項１乃至８の何れか１項に記載の配線システム。
【発明の詳細な説明】
【技術分野】
【０００１】
本発明は、配線システムに関するものである。
【背景技術】
【０００２】
従来、例えば壁面に固定された取付枠を用いて、大角形連用配線器具を壁面に配設する配線システムが提案されている（例えば、特許文献１参照）。
【０００３】
また、天井取付型の照明器具では天井の所定位置に設置されたシーリングローゼットに照明器具を取り付けていた。
【特許文献１】特許第３１３６００６号公報
【発明の開示】
【発明が解決しようとする課題】
【０００４】
上述の配線システムでは、配線器具を取付枠に取り付ける際には、先ず取付枠の前面側に取り付けてある化粧枠および化粧プレートを外して、取付枠を造営面から取り外した後、取付枠に配線器具を保持させるとともに、配線器具に電線を接続し、その後取付枠を造営面に取り付けるとともに、取付枠に化粧枠および化粧プレートを取り付けているので、配線器具の取付位置が予め決められており、ユーザが配線器具を自由な位置に取り付けて使用することができなかった。
【０００５】
また、天井取付型の照明器具や火災感知器や各種センサなどの電子機器も取付位置が固定のため、ユーザ自身が自由な位置に電子機器を取り付けて使用することができなかった。
【０００６】
また更に、上述の配線システムでは配線器具や電子機器が造営面から出っ張った状態で取り付けられるため、配線器具や電子機器の出っ張りが目立ち、室内のインテリア性が損なわれるという問題もあった。
【０００７】
本発明は上記問題点に鑑みて為されたものであり、その目的とするところは、ユーザ自身が配線器具や電子機器を自由な位置に取り付けて使用できる配線システムを提供することにある。
【課題を解決するための手段】
【０００８】
上記目的を達成するために、請求項１の発明は、造営面に設けた定形化された複数の差込接続部と、造営面の表側から複数の差込接続部のうちの何れにも選択的に差込接続可能な配線器具モジュール又は電子機器モジュールとで構成される配線システムであって、各差込接続部は、造営面に開口した取付用凹所と、造営材の裏側に配線された電線に電気的に接続されて取付用凹所内に配設されたジャック側端子とを備え、配線器具モジュールおよび電子機器モジュールは、取付用凹所に着脱自在に取着される定形化されたモジュール本体と、モジュール本体に設けられモジュール本体が取付用凹所内に取着された際にジャック側端子に電気的に接続されるプラグ側端子とを備えるとともに、配線器具モジュール又は電子機器モジュールのモジュール本体は、少なくとも一部又は全部を取付用凹所内に収納した状態で取付用凹所に取着されることを特徴とする。
【０００９】
請求項２の発明は、請求項１の発明において、ジャック側端子が取付用凹所の底部に設けられ、モジュール本体において各ジャック側端子に対応する部位にプラグ側端子が設けられたことを特徴とする請求項１記載の配線システム。
【００１０】
請求項３の発明は、請求項１の発明において、ジャック側端子が取付用凹所の側端面に設けられ、モジュール本体において各ジャック側端子に対応する部位にプラグ側端子が設けられたことを特徴とする。
【００１１】
請求項４の発明は、請求項１乃至３の発明において、モジュール本体の前面が造営面と同一の高さ位置に配置されたことを特徴とする。
【００１２】
請求項５の発明は、請求項４の発明において、配線器具モジュールは、用途毎に定形化された差込プラグが挿抜自在に接続され電力の供給又は情報信号の授受の少なくとも何れか一方を行うコンセント部を備え、モジュール本体の前面にコンセント部を配置したことを特徴とする。
【００１３】
請求項６の発明は、請求項１乃至３の発明において、配線器具モジュールは、用途毎に定形化された差込プラグが挿抜自在に接続され電力の供給又は情報信号の授受の少なくとも何れか一方を行うコンセント部を備え、且つ、電子機器モジュールは、プラグ側端子を介して電力の受電又は情報信号の授受の少なくとも何れか一方を行い所望の機能を実現する機能部を備えており、配線器具モジュール又は電子機器モジュールは、コンセント部又は機能部をモジュール本体から外側に突出させる状態と、モジュール本体内に収納させる状態とを選択自在として設けられたポップアップ機構を有することを特徴とする。
【００１４】
請求項７の発明は、請求項６の発明において、コンセント部又は機能部をモジュール本体内に収納した状態で、モジュール本体の前面が造営面と同一の高さ位置に配置されることを特徴とする。
【００１５】
請求項８の発明は、請求項６又は７の発明において、配線器具モジュールのコンセント部は、ポップアップ機構によりモジュール本体から外側に突出させられる突出部の側面に設けられ、突出部が外側に突出した状態でコンセント部が外部に露出することを特徴とする。
【００１６】
請求項９の発明は、請求項１乃至８の発明において、各差込接続部にはジャック側端子が複数設けられ、配線器具モジュールおよび電子機器モジュールは、複数のジャック側端子に電気的に接続される複数のプラグ側端子を備えたことを特徴とする。
【発明の効果】
【００１７】
請求項１の発明によれば、配線器具モジュール或いは電子機器モジュールのモジュール本体を何れかの差込接続部の取付用凹所に取り付けると、モジュール本体に設けたプラグ側端子がジャック側端子に電気的に接続されるので、配線器具モジュール或いは電子機器モジュールと差込接続部の間を電気的に接続することができる。したがって、所望の場所に設置された差込接続部に配線器具モジュール或いは電子機器モジュールを差込接続して使用することができ、ユーザ自身が配線器具モジュール又は電子機器モジュールを自由な位置に取り付けて使用することができるという効果がある。そのうえ、配線器具モジュールおよび電子機器モジュールのモジュール本体は、少なくともコンセント部又は機能部以外の部位を取付用凹所内に収納した状態で取付用凹所に取着されるので、取付用凹所から外側に突出するモジュール本体の部位を小さくして、モジュール本体を目立ちにくくできる。
【００１８】
請求項２の発明によれば、取付用凹所の底部に複数のジャック側端子を設けているので、取付用凹所の開口部からジャック側端子までの距離を長くとることができる。
【００１９】
請求項３の発明によれば、取付用凹所の側端面にジャック側端子を設けているので、ジャック側端子にプラグ側端子を側方から接触させることができるという効果がある。
【００２０】
請求項４の発明によれば、モジュール本体の前面が造営面と同一の高さに配置されるので、モジュール本体を目立ちにくくできる。
【００２１】
請求項５の発明によれば、モジュール本体の前面にコンセント部が配置されるので、コンセント部を常に露出させておくことができる。
【００２２】
請求項６の発明によれば、コンセント部或いは機能部を使用しない場合には、ポップアップ機構により、コンセント部又は機能部をモジュール本体内に収納させる状態を選択することによって、充電部に手などが触れるのを防止できるという効果がある。
【００２３】
請求項７の発明によれば、コンセント部又は機能部をモジュール本体内に収納した状態で、モジュール本体の前面が造営面と同一の高さに配置されるので、モジュール本体を目立ちにくくできる。
【００２４】
請求項８の発明によれば、コンセント部をモジュール本体内に収納した状態では、コンセント部が露出していないので、充電部に誤って触れるのを防止でき、またモジュール本体を目立ちにくくできる。
【００２５】
請求項９の発明によれば、複数のジャック側端子に対してそれぞれ対応するプラグ側端子を接続させることができる。
【発明を実施するための最良の形態】
【００２６】
以下に本発明の実施の形態を図面に基づいて説明する。
【００２７】
（実施形態１）
本発明に係る配線システムの概略構成を図２に示す。この配線システムでは、分電盤３０の本体３０ａ内に、リミッター３１、主幹ブレーカ３２、分岐ブレーカ３３などの商用交流電力系の内器と、電力変換部３４、バックアップ電源用のバッテリユニット３５、および後述する各種の通信ユニット３７（３７ａ、３７ｂ…），３８を配設している。また、本配線システムでは、建物の部屋Ｒ１，Ｒ２…内の適所に複数の差込接続部１を設けている。各差込接続部１の間は造営材（天井材や床材）の裏側に先行配線された電線４１，４２を介して送り配線されており、直流電圧の伝送路を構成する電線４１を介して分電盤３０内の通信ユニット３７（３７ａ，３７ｂ…）に電気的に接続されるとともに、交流電圧の伝送路を構成する電線４２を介して分岐ブレーカ３３に電気的に接続されている。
【００２８】
分電盤３０の本体３０ａ内に引き込まれた、例えば単相３線の商用交流電源の電力線は、リミッター３１を介して主幹ブレーカ３２に接続され、主幹ブレーカ３２の負荷側のＬ１、Ｌ２、Ｎの各極に対応した端子にはそれぞれ導電バー３６ａの一端が接続され、Ｎ極の導電バー３６ａと、Ｌ１又はＬ２の極の導電バー３６ａに各分岐ブレーカ３３のプラグイン式の電源側端子部（図示せず）が接続されて各分岐ブレーカ３３によって屋内電力線が分岐配線されるようになっている。なお分岐ブレーカ３３のプラグイン式の電源接続部は従来周知の構成を用いれば良いので、この構成の図示及び説明は省略する。また各導電バー３６ａは本体３０ａの正面方向から見て重なるように配設されているため、図２では一条に見えている。
【００２９】
電力変換部３４の電源入力端には導電バー３６ａが接続されて、商用交流電力が供給されるようになっており、電力変換部３４により商用交流電源を整流平滑して、所定電圧値の直流電圧に変換し、通信ユニット３７ａ，３７ｂ…などに直流電力を供給するようになっている。
【００３０】
電力変換部３４は、図２において、右側部に設けた正、負の各極に対応した直流電力出力端子部（図示せず）に直流給電路用の導電バー３６ｂの一端を接続してある。ここで正、負の各極の直流給電路用導電バー３６ｂは正面方向から見て重なるように配設されているため、図２では一条に見えている。
【００３１】
この導電バー３６ｂの上下両側には各種の通信ユニット（３７ａ、３７ｂ…）を配設してある。各種の通信ユニット３７（３７ａ、３７ｂ…）は導電バー３６ｂ側の端部に設けた電源入力用のプラグイン接続部に導電バー３６ｂを挿入して、導電バー３６ｂに接離自在に接続するようになっている。尚、各通信ユニット３７のプラグイン接続部は、プラグイン式の分岐ブレーカ３３の電源接続部と同様の構成を有しているので、この構成の図示及び説明は省略する。
【００３２】
ここで、通信ユニット３７ａはインターネットＮＴに通信網を介して接続するモデム、ルータ、更にローカルネットワークＬＡＮに接続するためのハブ等のネットワーク通信機能部を備えたＷＡＮ用の通信ユニットである。また通信ユニット３７ｂは、汎用通信或いはＬＡＮ等のネットワークに対応した通信ユニットである。
【００３３】
一方、通信ユニット３７ｃには、電線４１を介して分電盤３０外に設けた種々の配線器具モジュール１０（例えばモジュラコンセント型の配線器具モジュール１０ｃやＴＶコンセント型の配線器具モジュール１０ｄなど）や、電子機器モジュール２０（例えばＬＥＤ照明器具のような照明型の電子機器モジュール２０ａや人感センサのようなセンサ型の電子機器モジュール２０ｂやカメラ型の電子機器モジュール２０ｃなど）が接続してあり、導電バー３６ｂを通じて直流電力を取り込んで自機の動作電源とするとともに、取り込んだ直流電力を配線器具モジュール１０および電子機器モジュール２０に電線４１を介して給電する。また通信ユニット３７ｃは、配線器具モジュール１０や電子機器モジュール２０との間で直流電圧に重畳して情報信号を伝送することで、情報信号の授受を行う機能を備えている。
【００３４】
この通信ユニット３７ｃの内部回路は、図３に示すように導電バー３６ｂを介して入力された直流電圧を所定電圧に変換して内部回路の動作電圧を得るＤＣ／ＤＣコンバータ５１と、電線４１及び導電バー３６ｂの直流電圧に重畳されて送られてくる搬送信号を受信するとともに、直流電圧に重畳させて搬送信号を送信する搬送通信部５２と、図示しない記憶手段に格納された制御プログラムを実行することにより、搬送信号によって送られてくる情報の処理と、搬送信号によって送信する情報の生成処理とを行う制御部５３とから構成される。
【００３５】
また通信ユニット３８には、導電バー３６ａと分岐ブレーカ３３と電線４２と差込接続部１とを介して、分電盤３０外に設けた種々の配線器具モジュール１０（例えば電源コンセント型の配線器具モジュール１０ａ，１０ｂなど）および電子機器モジュール２０が接続されており、配線器具モジュール１０や電子機器モジュール２０との間で交流電圧に重畳して情報信号を伝送することで、情報信号の授受を行う機能を備えている。さらに通信ユニット３８は、図示しない信号線を介して通信ユニット３７ｃとの間で情報信号の授受を行う機能を有しており、交流電力路に接続された各モジュール１０，２０と、直流電力路に接続された各モジュール１０，２０の間で情報信号の授受が行えるようになっている。
【００３６】
ここにおいて、本実施形態では本システムに用いられる配線器具モジュール１０や電子機器モジュール２０で使用される全ての情報信号を、電線４１，４２を介して供給される直流電圧および交流電源にそれぞれ重畳させて送受信するようにしており、例えば情報信号の種類に応じて重畳させる信号の周波数帯域を分けることによって複数種類の情報信号の送受信が行えるようになっている。尚、電線４１を介して供給される直流電圧に本システムで使用される全ての情報信号を重畳させて伝送するようにしても良いし、電線４２を介して供給される交流電圧に本システムで使用される全ての情報信号を重畳させて伝送するようにしても良い。
【００３７】
ところで、差込接続部１に接続される配線器具モジュール１０としては、商用電源のコンセントや商用電源の供給を入切するスイッチなどの強電系の配線器具モジュール（例えば電源コンセント型の配線器具モジュール１０ａ，１０ｂなど）と、例えば情報信号の授受に用いられる弱電系の配線器具モジュール（例えばモジュラコンセント型やＴＶコンセント型の配線器具モジュール１０ｃ，１０ｅなど）がある。また電子機器モジュール２０にも、商用電源の供給を受けて動作する強電系の電子機器モジュール（例えば照明器具のような電子機器モジュール）と、直流電源の供給を受けて動作する弱電系の電子機器モジュール（例えばセンサ型やカメラ型の電子機器モジュール２０ｂ，２０ｃなど）がある。
【００３８】
図４（ｂ）は弱電系の配線器具モジュール１０の概略的なブロック図を示し、後述する差込接続部１のコンタクト６，６に接続される端子片１５，１５を有し、端子片１５，１５を介して供給される直流電源を所望の電圧値の直流電源に変換するＤＣ／ＤＣコンバータ６２と、例えばＪＩＳなどで規格化された既存のコンセントプラグ（モジュラプラグや同軸プラグなど）が挿抜自在に接続されるコンセント部（プラグ接続部）６３と、差込接続部１を介して供給される直流電圧に重畳されて送信されてきた情報信号を分離してコンセント部６３に出力する信号分離部６４ａ、および、コンセント部６３から入力された情報信号を直流電源に重畳して差込接続部１に出力する信号重畳部６４ｂを有する搬送通信部６４とを備えている。ここで、搬送通信部６４は、配線器具モジュール１０の種類に応じて分離又は重畳する情報信号の種類が異なっており、各配線器具モジュール１０で使用する情報信号（例えば電話信号、テレビジョン信号、或いはＬＡＮなどの通信信号）の分離および重畳が行えるように構成されている。
【００３９】
また、図４（ａ）は強電系の配線器具モジュール１０ａ，１０ｂ，１０ｅの概略的なブロック図を示しており、後述する差込接続部１のコンタクト５，５に接続される端子片１４，１４と、例えばＪＩＳなどで規格化された既存のコンセントプラグ（ＡＣ１００Ｖ用の平行栓刃を有するプラグなど）が挿抜自在に接続されるコンセント部６１（６１ａ，６１ｂ）とを備え、端子片１４，１４を介して供給された交流電源をコンセント部６１に接続されたコンセントプラグに供給している。
【００４０】
また更に、図５（ａ）は弱電系の電子機器モジュール２０の概略的なブロック図を示しており、差込接続部１のコンタクト６，６に接続される端子片１５，１５を有し、差込接続部１から端子片１５，１５を介して供給される直流電源を所望の電圧値の直流電源に変換して内部回路に供給するＤＣ／ＤＣコンバータ７１と、所望の機能を実現するための機能部７２と、差込接続部１を介して供給される直流電源に重畳されて送信されてきた情報信号を分離して後述の制御部７４に出力する信号分離部７３ａ、および、制御部７４から入力された情報信号を直流電源に重畳して差込接続部１に出力する信号重畳部７３ｂを有する搬送通信部７３と、機能部７２などの動作を制御する制御部７４とを備えている。機能部７２は各々の電子機器モジュール２０が備える機能に対応して設けられ、例えば人感センサ型の電子機器モジュール２０ｂの場合には、図５（ｂ）に示すように人体から放射される熱線（赤外線）を検出する焦電型の赤外線検出素子よりなる人感センサ７２ａと、人感センサ７２ａの人体検知信号を増幅して制御部７４に出力する検知信号出力部７２ｂと、人体検知時に点灯する発光ダイオードからなる点灯表示部７２ｃとを機能部７２が備えている。また、ＬＥＤ照明型の電子機器モジュール２０ａの場合には、図５（ｃ）に示すようにＬＥＤ７２ｄと、ＬＥＤ７２ｄに点灯電力を供給する点灯回路部７２ｅとで機能部７２が構成される。
【００４１】
ここで、人感センサ型の電子機器モジュール２０ｂでは、人感センサ７２ａが検出エリア内の人体から放射される熱線を検知し、検知信号出力部７２ｂから制御部７４に検知信号が出力されると、制御部７４が、搬送通信部７３を制御して信号重畳部７３ｂから対応する通信ユニット３７ｃに人体検知信号を出力する機能を備えており、通信ユニット３７ｃの制御部５３は、搬送通信部５２を介して人体検知信号を受け取ると、予め連系関係が設定されている通信ユニット３７ｃ、或いは通信ユニット３７ａ，３７ｂを連系動作させるための連系関係情報を生成し、当該連携関係情報を搬送通信部５２から通信ユニット３７ｃまたは通信ユニット３７ａ，３７ｂへ搬送信号により送信させる検出情報処理を行うようになっている。またＬＥＤ照明型の電子機器モジュール２０では、対応する通信ユニット３７ｃから送信された点灯信号を搬送通信部７３が受信すると、制御部７４が点灯回路部７２ｅを制御してＬＥＤ７２ｄを点灯させるとともに、対応する通信ユニット３７ｃから送信された消灯信号を搬送通信部７３が受信すると、制御部７４が点灯回路部７２ｅを制御してＬＥＤ７２ｄを消灯させるようになっている。
【００４２】
また、図６（ａ）は強電系の電子機器モジュール２０の概略的なブロック図を示しており、差込接続部１のコンタクト５，５に接続される端子片１４，１４を有し、差込接続部１から端子片１４，１４を介して供給される交流電源より内部の動作電源を得る電源部７５と、所望の機能を実現するための機能部７６と、差込接続部１を介して供給される交流電源に重畳されて送信されてきた情報信号を分離して後述の制御部７８に出力する信号分離部７７ａ、および、制御部７８から入力された情報信号を交流電源に重畳して差込接続部１に出力する信号重畳部７７ｂを有する搬送通信部７７と、機能部７２などの動作を制御する制御部７８とを備えている。機能部７６は、弱電系の電子機器モジュールの場合と同様に、電子機器モジュール２０が備える機能に対応して設けられ、例えば交流電源により動作する照明器具の場合には、図６（ｂ）に示すように白熱灯或いは蛍光灯からなるランプ７６ａと、ランプ７６ａに点灯電力を供給する点灯回路部７６ｂとで機能部７６が構成されている。
【００４３】
ここで、配線器具モジュール１０が備えるコンセント部６１，６３は、電源もしくは各種情報信号の種別に応じて定形化されたものであり、例えばＴＶ用や電話用のコンセント部のようにＪＩＳなどで規格化されたものの他、規格化はされていないが汎用化しているもの（業界標準となっているもの）でも良い。
【００４４】
次に、差込接続部１と配線器具モジュール１０或いは電子機器モジュール２０との接続構造について説明を行う。
【００４５】
差込接続部１は、図１に示すように部屋Ｒ（Ｒ１，Ｒ２…）内の造営材（天井材１０１、床材１０２および壁材１０３）に略一定の間隔で網目状に複数配設されている。なお、図１の施工例では壁材１０３，１０３の適所に差込接続部１を設けているが、壁材１０３，１０３において複数の差込接続部１を網目状に配置しても良い。
【００４６】
図１０（ａ）は差込接続部１の平面図、図１０（ｂ）は差込接続部１の断面図であり、差込接続部１は、配線器具モジュール１０或いは電子機器モジュール２０の器体（モジュール本体）１１，２１が挿抜自在に差込接続される取付用凹所３が前面に開口した本体ケース２を備えている。取付用凹所３の底面中央には、モジュール本体１１，２１の下部に突設された突出部１３，２３が嵌合する嵌合孔４が設けられている。嵌合孔４は、奥側の小径部４ｂに比べて開口端側の径が大径に形成されており、小径部４ｂには交流電力の伝送路となる電線４１に電気的に接続された一対のコンタクト５，５が小径部４ｂの中心軸を挟んで対角の位置に配列されている。また大径部４ａには、直流電力の伝送路となる電線４２に電気的に接続される一対のコンタクト６，６が、コンタクト５，５の配列方向と略直交する方向に並び、且つ、大径部４ａの中心軸を挟んで対角の位置に配列されている。すなわち交流系のコンタクト５，５に対して、直流系のコンタクト６，６の方が嵌合孔４の開口部により近い側に配設されている。ここにおいてコンタクト５，５およびコンタクト６，６からジャック側端子が構成される。交流電圧に接続されるコンタクト５，５は奥側の小径部４ｂに、直流電圧に接続されるコンタクト６，６は手前側の大径部４ａにそれぞれ配置されており、小径部４ｂと大径部４ａの間には段差が設けられているので、絶縁距離を充分に確保することができる。なお差込接続部１には、取付用凹所３内に挿入されたモジュール本体１１，２１を係止離脱自在に引掛係止する適宜の係止手段（図示せず）が設けられており、天井材１０１に配設された差込接続部１に配線器具モジュール１０或いは電子機器モジュール２０を接続した際にこのモジュール１０，２０が自重で落下するのを防止することができる。
【００４７】
また本体ケース２の底部には、電線４１および電線４２が接続される速結端子構造の接続端子（図示せず）が配設されており、この接続端子と上記のコンタクト５，６の間を電気的に接続する導電部材が本体ケース２の内部に収納されている。ここにおいて本実施形態ではコンタクト５，５に接続される伝送路を交流電力の伝送路、コンタクト６，６に接続される伝送路を直流電力の伝送路とし、直流電圧および交流電圧にそれぞれ各種の情報信号を重畳させて搬送通信を行っているが、コンタクト５，５およびコンタクト６，６を介して授受される電源あるいは情報信号を上記の電源あるいは情報信号に限定する趣旨のものではなく、本システムに用いる配線器具モジュール１０および電子機器モジュール２０で用いられる電源および情報信号を差込接続部１に供給すれば良い。また、電線４１，４２への電源あるいは情報信号の割り振りも特に限定されるものではなく、使用される電源或いは情報信号のうちの一部を電線４１を介して供給し、残部を電線４２を介して供給するようにしても良い。なお、複数の差込接続部１のうち配線器具モジュール１０や電子機器モジュール２０が接続されていない差込接続部１には、取付用凹所３の開口を塞ぐ蓋（図示せず）を取り付けてある。
【００４８】
また、本体ケース２の開口縁の要所には切欠３ａが形成されており、取付用凹所３内に装着された配線器具モジュール１０又は電子機器モジュール２０の器体１１，２１を取り外す際には切欠３ａに指を入れて器体１１，２１の側面をつかむことで、器体１１，２１を容易に取り外すことができるようになっている。なお、配線器具モジュール１０又は電子機器モジュール２０の器体１１，２１の前面に取っ手（図示せず）などを設けても良く、器体１１，２１を取り外す際に取っ手を掴んで引っ張ることにより、器体１１，２１を取付用凹所３から取り外すようにしても良い。
【００４９】
次に配線器具モジュール１０について図８（ａ）〜（ｄ）に基づいて説明する。尚、配線器具モジュール１０は、電源或いは情報信号の種別に応じて複数種類存在するが、コンセント部６１，６３の形状が異なる以外は同様の構成を有しているので、ＡＣ１００Ｖ用のコンセントを構成する配線器具モジュール１０ａについて説明し、他の種類の配線器具モジュールについては説明を省略する。
【００５０】
配線器具モジュール１０ａは、低背の円柱形状に形成されたモジュール本体１１を備えており、モジュール本体１１の上面（施工状態において取付用凹所３から露出する前面）には規格化された電源プラグの栓刃（図示せず）が挿抜自在に挿入される栓刃挿入口１２ａを有したコンセント部６１ａが設けられている。またモジュール本体１１下面の中央部には棒状の突出部１３が突設されており、突出部１３の先端部（下端部）には突出部１３の上側部位（大径部１３ｂ）に比べて前後方向および左右方向の幅寸法が小さい寸法に形成された細径部１３ａが一体に設けられている。突出部１３の細径部１３ａおよび大径部１３ｂは、それぞれ、円柱を平行する２つの平面で切断したような形状に形成されており、細径部１３ａの前後両側面には、差込接続部１の一対のコンタクト５，５にそれぞれ電気的に接続される端子片１４，１４が配設され、大径部１３ｂの下端部の左右両側部には、差込接続部１の一対のコンタクト６，６にそれぞれ電気的に接続される端子片１５，１５が配設されている。ここにおいて端子片１４，１４および端子片１５，１５により、ジャック側端子を構成するコンタクト５，５又はコンタクト６，６にそれぞれ電気的に接続されるプラグ側端子が構成され、複数のジャック側端子に対して対応するプラグ側端子を接続することができる。またコンセント部６１ａには、プラグ側端子に電気的に接続されるとともにコンセント部６１ａに接続された差込プラグの電極に電気的に接続される接触子（図示せず）が設けられている。尚、ＡＣ１００Ｖ用の配線器具モジュール１０ａの場合、直流系のコンタクト６，６に接続される端子片１５，１５が不要であれば、コンタクト５，５に接続される端子片１４，１４のみを設けるようにしても良い。
【００５１】
また、図７（ａ）および図８に示すＡＣ１００Ｖ用の配線器具モジュール１０ａでは、矩形孔状の一対の栓刃挿入口１２ａを有するコンセント部６１ａを備えているが、コンセント部６１ａの形状は対応する電源の種別などに応じて適宜変更すれば良い。例えば図７（ｄ）および図９（ａ）（ｂ）は抜止タイプのＡＣ１００Ｖ用コンセントからなる配線器具モジュール１０ｅを示し、この配線器具モジュール１０ｅのモジュール本体１１の前面（天井取付の場合の下面）には円弧状に開口する一対の栓刃挿入口１２ｂを備えたコンセント部６１ｂを設けてある。
【００５２】
また弱電系の配線器具モジュール１０の場合も情報信号の種別に応じたコンセント部６３を設ければ良く、図７（ｂ）に示すモジュラコンセント型の配線器具モジュール１０ｃの場合には、モジュラプラグが挿抜自在に接続されるプラグ接続口を有するコンセント部６３ａを設ければ良いし、図７（ｃ）に示すＴＶコンセント型の配線器具モジュール１０ｃの場合には、同軸コネクタが挿抜自在に接続されるＦ型接栓を有するコンセント部６３ｂを設ければ良い。また、弱電系の配線器具モジュール１０の場合も、コンタクト５，５に接続される端子片１４，１４と、コンタクト６，６に接続される端子片１５，１５の両方を共に備える必要はなく、情報信号を直流電圧に重畳して搬送通信する場合はコンタクト６，６に接続される端子片１５，１５のみを備えていれば良い。なお、情報信号を交流電圧に重畳して搬送通信する場合はコンタクト５，５に接続される端子片１４，１４のみを備えていれば良い。
【００５３】
次に電子機器モジュール２０について説明する。尚、電子機器モジュール２０もその機能や用途などに応じて複数種類存在するが、差込接続部１に接続するための接続構造は配線器具モジュール１０と同様であるので、その説明は省略する。
【００５４】
図７（ｅ）および図１２（ａ）〜（ｃ）は人感センサ型の電子機器モジュール２０ｂを示しており、低背の円柱形状に形成されたモジュール本体２１を備え、モジュール本体２１の前面には検知エリア内の人体から放射された熱線をモジュール本体２１内部に収納した人感センサに入射させるレンズ２２ａが設けられている。また、モジュール本体２１下面（天井取付の場合の上面）の中央部には棒状の突起部２３が突設されており、突起部２３の先端部（図１２（ａ）中の下端部）には突起部２３の上側部位（大径部２３ｂ）に比べて前後方向および左右方向の幅寸法が小さい寸法に形成された細径部２３ａが一体に設けられている。突起部２３の細径部２３ａおよび大径部２３ｂは、それぞれ、円柱を平行する２つの平面で切断したような形状に形成されており（図１２（ｃ）参照）、細径部２３ａの前後両側面には、差込接続部１の一対のコンタクト５，５にそれぞれ電気的に接続される端子片２４，２４が配設され、大径部２３ｂの下端部の左右両側部には、差込接続部１の一対のコンタクト６，６にそれぞれ電気的に接続される端子片２５，２５が配設されている。
【００５５】
電子機器モジュール２０の場合も、その機能や用途などに応じて複数種類存在し、図７（ｆ）に示すようなカメラ機能を有する電子機器モジュール２０ｃの場合には、モジュール本体２１の下面に透光カバー２２ｂを設け、この透光カバー２２ｂに臨ませてＣＣＤカメラのような撮像素子をモジュール本体２１内部に収納すればよい。また電子機器モジュール２０として直流電源で動作するＬＥＤ照明タイプの電子機器モジュール２０ａもあり、この電子機器モジュール２０ａでは、図１に示すようにモジュール本体２１の下面には透光カバー２２ｃが取着され、この透光カバー２２ｃに臨むようにしてモジュール本体２１内にＬＥＤ７２ｄを収納してある。なお、これらの電子機器モジュール２０ａ〜２０ｃでは、コンタクト５，５を介して供給される直流電源を動作電源とし、直流電圧に情報信号を重畳させることで搬送通信を行っているので、交流電源に接続する必要はなく、端子片２４，２４を無くして、コンタクト６，６に接続される端子片２５，２５のみを設ければ良い。なお情報信号を交流電圧に重畳して搬送通信する場合はコンタクト５，５に接続される端子片２４，２４を設けるようにしても良く、また動作電源を交流電源から得る場合にはコンタクト５，５に接続される端子片２４，２４のみとしても良い。また電子機器モジュール２０として、交流電源の供給を受けて動作するような電子機器モジュールを用いても良く、この場合は交流電圧に重畳して情報信号を搬送通信すれば、コンタクト６，６に接続される端子片２５，２５は不要であり、コンタクト５，５に接続される端子片２４，２４のみを設けても良い。
【００５６】
本発明に係る配線システムは以上のように構成されており、造営面に設けた複数の差込接続部１を定形化するとともに、差込接続部１に差込接続される配線器具モジュール１０或いは電子機器モジュール２０のモジュール本体１１，２１や突出部１３，２３を定形化してあり、配線器具モジュール１０或いは電子機器モジュール２０を複数の差込接続部１のうちの何れにも選択的に差込接続可能としている。
【００５７】
そして、各差込接続部１には、本システムで使用される全ての電源および情報信号の伝送路を構成する電線４１，４２に電気的に接続された各一対のコンタクト５，６を配設してあり、図１１（ａ）に示すようにモジュール本体１１，２１を何れかの差込接続部１の取付用凹所３内に挿入するとともに、モジュール本体１１，２１に突設された突出部１３，２３を嵌合孔４に挿入すると、突出部１３又は突出部２３にそれぞれ設けた端子片１４，１５又は端子片２４，２５が、差込接続部１のコンタクト５，５又はコンタクト６，６に電気的に接続されるので、何れの差込接続部１に配線器具モジュール１０或いは電子機器モジュール２０を差込接続した場合でも、接続された配線器具モジュール１０或いは電子機器モジュール２０は必要な電源あるいは情報信号を得ることができる。したがって、所望の場所に設置された差込接続部１に配線器具モジュール１０或いは電子機器モジュール２０を差込接続して使用することができ、ユーザ自身が配線器具モジュール１０又は電子機器モジュール２０を自由な位置に取り付けて使用することができるという。
【００５８】
ここで、配線器具モジュール１０又は電子機器モジュール２０では、モジュール本体１１，２１が差込接続部１の取付用凹所３内に挿入され、モジュール本体１１，２１の一部又は全部が取付用凹所３内に収納された状態で、差込接続部１に取り付けられるので、取付用凹所３から外側に突出するモジュール本体１１，２１の部位を小さくして、モジュール本体１１，２１を目立ちにくくできる。またモジュール本体１１，２１の前面が平坦面に形成されているモジュール１０，２０では、図１及び図１１（ｂ）に示すように、差込接続部１に取り付けた状態においてモジュール本体１１，２１の全体が取付用凹所３内に収納され、その前面が造営面（造営材１００の表面）と同一の高さ位置に配置されるので、モジュール本体１１，２１をさらに目立ちにくくできる。
【００５９】
また本実施形態では、ジャック側端子（コンタクト５，６）が取付用凹所３の底部に設けられ、配線器具モジュール１０又は電子機器モジュール２０のモジュール本体１１，２１において各ジャック側端子に対応する位置にプラグ側端子（端子片１４，１５または端子片２４，２５）を設けているので、取付用凹所３の開口部からジャック側端子までの距離を長くとることができ、絶縁性能を向上させることができる。
【００６０】
また本実施形態の配線器具モジュール１０では、モジュール本体１１の前面にコンセント部６１，６３を配置しているので、コンセント部６１，６３を常に露出させておくことができ、コンセント部６１，６３に対して差込プラグを自由に接続することができる。
【００６１】
なお、本実施形態では取付用凹所３の底部にジャック側端子（コンタクト５，６）が設けられるとともに、モジュール本体１１，２１の底部に突設した突出部１３，２３にプラグ側端子（端子片１４，１５又は端子片２４，２５）が設けられているが、図１３（ａ）（ｂ）に示すように配線器具モジュール１０のモジュール本体１１を低背の円柱形状に形成するとともに、モジュール本体１１の側周面に各一対の端子片１４’，１５’を配設し、差込接続部１の取付用凹所３の側端面において対応する位置に各一対のコンタクト５，６を配設しても良い。ここで、図示する配線器具モジュール１０では、モジュール本体１１の側周面の下側部においてモジュール本体１１の中心軸に対して対角の位置に端子片１４’，１４’を配設するとともに、モジュール本体１１の側周面の上側部においてモジュール本体１１の中心軸に対して対角の位置に端子片１５’，１５’を配設してあり、一対の端子片１４’の配列方向と一対の端子片１５’の配列方向とが略直交している。また、差込接続部１の取付用凹所３の側端面には、各一対の端子片１４’，１５’に対応する位置に各一対のコンタクト５，６を配設しており、差込接続部１の取付用凹所３にモジュール本体１１を挿入すると、端子片１４’，１５’を対応するコンタクト５，６に側方から接触させることができる。尚、図１３に示した差込接続部１０に接続される電子機器モジュール２０の場合にも、配線器具モジュール１０と同様に、モジュール本体２１の側周面において差込接続部１のコンタクト５，６に対応する部位に各一対の端子片２４，２５を配設すれば良いので、図示は省略する。ここにおいて、モジュール本体１１，２１の周面には位置決め用の凹溝（図示せず）を設けてあり、凹溝内に差込接続部１に設けた突条を係合させることで、モジュール本体１１，２１が差込接続部１に対して正規の取付位置で取り付けられるようになっている。
【００６２】
（実施形態２）
本発明の実施形態２を図１４に基づいて説明する。上述の実施形態１に用いる配線器具モジュール１０および電子機器モジュール２０では、モジュール本体１１，２１の前面にコンセント部あるいは機能部を設けているのに対して、本実施形態では、コンセント部又は機能部をモジュール本体１１，２１から外側に突出させる状態と、モジュール本体１１，２１内に収納させる状態とを選択自在とするポップアップ機構をモジュール本体１１，２１に設けてある。尚、ポップアップ機構を備える点以外は実施形態１と同様であるので、共通する構成要素には同一の符号を付して、その説明は省略する。
【００６３】
図１４（ａ）（ｂ）はポップアップ機構を有する配線器具モジュール１０を示しており、差込接続部１の取付用凹所３内に挿入されるモジュール本体１１に、使用時に床面上に突出する可動部１７を設けている。可動部１７はモジュール本体１１の前面に設けた開口部１１ａ内に配置され、モジュール本体１１に対してヒンジ部（図示せず）を介して回動自在に支持されており、突出部としての可動部１７がモジュール本体１１から外側に突出する状態（図１４（ａ）参照）と、可動部１７がモジュール本体１１に収納された状態（図１４（ｂ）参照）とを選択自在となっている。また、可動部１７をモジュール本体１１に収納した状態では、モジュール本体１１に設けたロック爪（図示せず）が可動部１７の係合溝（図示せず）に係合することによって、可動部１７の収納状態を保持するようになっており、この収納状態において可動部１７の上部に設けた天板１７ａが、開口部１１ａの周縁部に設けた凹所１１ｂ内に嵌り、天板１７ａの前面がモジュール本体１１の前面（すなわち造営材の前面）と同一の高さ位置に配置されるようになっている。
【００６４】
可動部１７が収納された状態で、モジュール本体１１の前面に配置した操作子１１ｃを操作して、ロック爪による係合状態を解除すると、可動部１７が付勢手段の付勢力を受けて、モジュール本体１１から外側に突出する突出位置に回動する。そして、可動部１７が図１４（ａ）に示す突出位置まで移動すると、モジュール本体１１のロック爪が可動部１７に設けた係合溝（図示せず）に係合することで、可動部１７の突出状態が保持され、可動部１７の側面に設けたコンセント部６１が外側に露出するようになっている。なお突出状態にある可動部１７を収納する際には、操作子１１ｃを操作してロック爪による係合状態を解除した状態で、付勢手段の付勢力に抗して可動部１７を収納方向に押し込み、可動部１７を収納位置まで移動させると、ロック爪が収納時の係合溝と係合することによって可動部１７の収納状態が保持されるようになっている。ここにおいて、可動部１７、ヒンジ部、付勢手段、ロック爪および操作子１１ｃなどからポップアップ機構が構成されている。
【００６５】
可動部１７には一対の栓刃挿入口１２ｃを有するコンセント部６１が設けられており、栓刃挿入口１２ｃに臨んで可動部１７内に収納された刃受部材（図示せず）は図示しない可撓電線を介して突出部１３に設けた端子片１４に電気的に接続されている。
【００６６】
このように本実施形態では、コンセント部６１をモジュール本体１１から外側に突出させる状態と、モジュール本体１１内に収納させる状態とを選択自在とするポップアップ機構を備えているので、コンセント部６１を使用しない場合には、ポップアップ機構により、コンセント部６１（可動部１７）をモジュール本体１１内に収納させる状態を選択することによって、充電部に手などが触れるのを防止できる。また、コンセント部６１をモジュール本体１１内に収納した状態では、可動部１７を含めてモジュール本体１１の前面が造営材の表面と同一の高さに配置されるので、モジュール本体１１を目立ちにくくできる。また更に、コンセント部６１は、ポップアップ機構によりモジュール本体１１から外側に突出させられる突出部（可動部１７）の側面に設けられ、可動部１７が外側に突出した状態でコンセント部６１が外側に露出し、可動部１７の収納状態ではコンセント部６１もモジュール本体１１内に収納されるので、収納状態において充電部に誤って触れるのを防止でき、またモジュール本体１１を目立ちにくくできる。
【００６７】
なお本実施形態では配線器具モジュール１０を例に説明したが、電子機器モジュール２０のモジュール本体２１に上述と同様のポップアップ機構を設けても良い。この場合にはモジュール本体２１に設けた可動部の側面に機能部を配置すれば良く、機能部を動作させる場合のみモジュール本体２１から外側に機能部を突出させ、機能部を使用しない場合にはモジュール本体２１の内部に機能部を収納することができる。
【００６８】
また、上記の各実施形態では配線器具モジュール１０および電子機器モジュール２０のモジュール本体１１，２１の略全体が差込接続部１の取付用凹所３内に挿入され、モジュール本体１１，２１の前面が造営面の前面と略同じ高さに配置されているが、図１５（ａ）（ｂ）に示すようにモジュール本体１１の下側部のみを取付用凹所３内に挿入し、モジュール本体１１の一部（上側部）を取付用凹所３の外側に突出させるようにしても良く、モジュール本体１１の少なくとも一部を取付用凹所３内に挿入することで、造営面からの突出量を小さくしてモジュール本体１１を目立ちにくくできる。尚、電子機器モジュール２０についても同様に、モジュール本体２１の下側部のみを取付用凹所３内に配置して、モジュール本体２１の一部を取付用凹所３の外側に突出させても良い。
【図面の簡単な説明】
【００６９】
【図１】実施形態１の配線システムの施工例を示す説明図である。
【図２】同上の配線システムの概略構成図である。
【図３】同上に用いる通信ユニットの概略的なブロック図である。
【図４】（ａ）（ｂ）は同上に用いる配線器具モジュールの概略的なブロック図である。
【図５】（ａ）は同上に用いる電子機器モジュールの概略的なブロック図、（ｂ）（ｃ）は電子機器モジュールの要部のブロック図である。
【図６】（ａ）は同上に用いる他の電子機器モジュールの概略的なブロック図、（ｂ）は電子機器モジュールの要部のブロック図である。
【図７】（ａ）〜（ｆ）は同上に用いる配線器具モジュールおよび電子機器モジュールの斜視図である。
【図８】同上に用いる配線器具モジュールを示し、（ａ）は正面図、（ｂ）は右側面図、（ｃ）は上面図、（ｄ）は一部省略せる下面図である。
【図９】同上に用いる他の配線器具モジュールを示し、（ａ）は平面図、（ｂ）は側面図である。
【図１０】同上に用いる差込接続部を示し、（ａ）は平面図、（ｂ）は側断面図である。
【図１１】（ａ）は同上に用いる配線器具モジュールを差込接続部に接続する前の状態を示した説明図、（ｂ）は配線器具モジュールを差込接続部に接続した状態の側断面図である。
【図１２】同上に用いる電子機器モジュールを示し、（ａ）は正面図、（ｂ）は上面図、（ｃ）は下面図である。
【図１３】（ａ）は同上に用いる配線器具モジュールを差込接続部に接続する前の状態を示した説明図、（ｂ）は配線器具モジュールを差込接続部に接続した状態の側断面図である。
【図１４】（ａ）（ｂ）は実施形態２の配線システムに用いる配線器具モジュールの説明図である。
【図１５】（ａ）（ｂ）は実施形態１、２に用いる配線器具モジュールの他の構成を示す説明図である。
【符号の説明】
【００７０】
１  差込接続部
３  取付用凹所
５，６  コンタクト（ジャック側端子）
１０  配線器具モジュール
２０  電子機器モジュール
１１，２１  モジュール本体
１４，１５，２４，２５  端子片（プラグ側端子）
１０１  天井材（造営面）
１０２  床材（造営面）
１０３  壁材（造営面）
【図１】
2008270050.tif 000003
【図２】
2008270050.tif 000004
【図３】
2008270050.tif 000005
【図４】
2008270050.tif 000006
【図５】
2008270050.tif 000007
【図６】
2008270050.tif 000008
【図７】
2008270050.tif 000009
【図８】
2008270050.tif 000010
【図９】
2008270050.tif 000011
【図１０】
2008270050.tif 000012
【図１１】
2008270050.tif 000013
【図１２】
2008270050.tif 000014
【図１３】
2008270050.tif 000015
【図１４】
2008270050.tif 000016
【図１５】
2008270050.tif 000017